(57)【要約】      （修正有）【課題】簡単に組み立てることができる包装用容器を提供する。【解決手段】正面板２、背面板３、左右の側面板４・５、蓋板６、底面板７からなる六面体の包装用容器１であって、差込片９が先端縁に曲折可能に連設されている蓋板６を、背面板３の上端縁に曲折可能に連設し、蓋板６と各側面板４・５との間にそれぞれ内フラップを設け、これらの内フラップは蓋板６の側端縁と各側面板４・５の上端縁とに沿ったＬ字型形状とするとともに、それらに対してそれぞれ曲折可能に連設し、前記各内フラップを屈曲部において曲折可能にする。【選択図】図１
0003144451.tif 000002
【実用新案登録請求の範囲】
【請求項１】
正面板、背面板、左右の側面板、蓋板、底面板からなる六面体の包装用容器において、差込片が先端縁に曲折可能に連設されている前記蓋板が、前記背面板の上端縁に曲折可能に連設されており、前記蓋板と前記各側面板との間にそれぞれ跨った状態で左右一対の内フラップが設けられ、これらの内フラップが、前記蓋板の側端縁と前記各側面板の上端縁とに沿ったＬ字型形状をなし、且つそれらに対してそれぞれ曲折可能に連設されており、前記各内フラップが屈曲部において曲折可能になっていることを特徴としている包装用容器。
【請求項２】
前記正面板、前記背面板、左右の前記側面板、前記蓋板、前記底面板を含む一枚のブランクからなり、前記正面板及び前記背面板並びに左右の前記側面板は、順次側端縁において曲折可能に連設されて、前記正面板及び左右の前記側面板のいずれかの側端縁に曲折可能に連設されている糊代によって筒状体に構成され、
前記底面板は、一組の第１舌片と一組の第２舌片とからなり、前記各第１舌片は、前記正面板及び前記背面板、或いは、左右の前記側面板の各下端縁にそれぞれ曲折可能に連設され、前記各第１舌片を連設していない前記正面板及び前記背面板、或いは、左右の前記側面板の各下端縁にはそれぞれ、前記各第２舌片が曲折可能にそれぞれ連設されており、
前記各第１舌片にはそれぞれ、一側端側に先端縁の一部を長さ方向に延長して係合部が設けられ、他側端側には基端側の隅角部から前記係合部近傍の先端縁に至る斜めの折目を介して固着部が曲折可能に連設されており、
これらの前記各第１舌片は、前記係合部及び前記固着部が互いに反対に位置するように配設されていて、前記各固着部はそれぞれ隣り合う前記各第２舌片に固着され、前記各係合部を互いに係合しつつ他方の前記第２舌片の裏面側に重ねることにより、前記一組の第１舌片と前記一組の第２舌片とで前記底面板が構成されていることを特徴とする請求項１に記載の包装用容器。
【請求項３】
前記正面板の幅方向中央部に、上端縁から前記底面板の方向に一対の切り込みが略平行に設けられて切出片が形成され、同切出片は、先端縁に係止片を曲折可能に連設されるとともに、基端部において曲折可能となっており、前記係止片を挿入して係止可能なスリット状の係止孔が、前記蓋板の先端部の幅方向中央部に設けられていることを特徴とする請求項１又は２記載の包装用容器。
【請求項４】
前記係止片の一部を切り出すことにより、基端側が前記切出片側に位置し、且つ前記切出片の一部を延長した形に形成されている指掛け片が設けられていることを特徴とする請求項１〜３のいずれかに記載の包装用容器。
【考案の詳細な説明】
【技術分野】
【０００１】
本考案は、事務用品や菓子類などの小物を包装するための包装用容器に関する。
【背景技術】
【０００２】
従来、包装用容器として実に様々な形態のものが考案され実用化されている。例えば、四角状箱本体の開口縁に、内フラップ片と外フラップ片とをそれぞれ折曲可能に連設するとともに、外フラップ片の前縁に差し込みフラップを折曲可能に連設している包装用容器がある。この包装用容器の内フラップ片は、閉じた外フラップ片と箱本体との間から被包装物がこぼれることを防止することができる。また、差し込みフラップ片両側のその折曲線近傍には、内フラップ片側縁によって係止される突起が形成されており、内フラップ片を内側に折り曲げ、その上に外フラップ片を折り重ねて、差し込みフラップ片を箱本体の前壁と内フラップ片の側縁の間に差し込むことで、差し込みフラップ片の突起を内フラップ片側縁に係止させている（例えば、特許文献１参照）。
【特許文献１】実開平０６−４２６３２号公報（第６頁、第１図）
【考案の開示】
【考案が解決しようとする課題】
【０００３】
このような包装用容器は、外フラップ片を閉じる前に内フラップ片をいちいち閉じる必要があり、組み立てに手間がかかって被包装物の箱詰め作業に要する時間を短縮しづらい面がある。そこで、本考案は、簡単に組み立てを行うことができる包装用容器を提供することを課題としている。
【課題を解決するための手段】
【０００４】
請求項１記載の包装用容器は、正面板、背面板、左右の側面板、蓋板、底面板からなる六面体の包装用容器において、差込片が先端縁に曲折可能に連設されている前記蓋板を、前記背面板の上端縁に曲折可能に連設し、前記蓋板と前記各側面板との間にそれぞれ跨った状態で左右一対の内フラップを設け、これらの内フラップは、前記蓋板の側端縁と前記各側面板の上端縁とに沿ったＬ字型形状とするとともに、それらに対してそれぞれ曲折可能に連設し、前記各内フラップを屈曲部において曲折可能にすることを特徴としている。
【０００５】
この請求項１の包装用容器によれば、前記両内フラップを、前記蓋板の開閉に合わせて動かすことができる。つまり、前記蓋板を閉じると、前記各内フラップは、前記各屈曲部において谷折りされるとともに、前記蓋板の裏面側に折り曲げられ、且つ前記各側面板に対して容器内側へと折り曲げられて閉じた状態になる。このようにして閉じられた前記各内フラップは、二つに折り畳まれて容器内に収容された状態になる。一方、前記蓋板を開くと、前記各内フラップは、前記屈曲部の折目が展開するとともに、前記蓋板及び前記各側面板との折目が展開し、自動的に元のＬ字型形状へと復元されて開いた状態になる。また、前記蓋板を閉じることで前記各内フラップが容器内に収容されると、前記各内フラップが前記蓋板と前記各側面板との隙間を塞ぐため、被包装物が容器内からこぼれることを防止することができる。
【０００６】
請求項２の包装用容器は、正面板、背面板、左右の側面板、蓋板、底面板を含む一枚のブランクで構成し、前記正面板及び前記背面板並びに左右の前記側面板は、順次側端縁において曲折可能に連設するとともに、前記正面板及び左右の前記側面板のいずれかの側端縁に曲折可能に連設されている糊代によって筒状体とし、
前記底面板を、一組の第１舌片と一組の第２舌片とで構成し、前記各第１舌片は、前記正面板及び前記背面板、或いは、左右の前記側面板の各下端縁にそれぞれ曲折可能に連設し、前記第１舌片を連設していない前記正面板及び前記背面板、或いは、左右の前記側面板の各下端縁にはそれぞれ、前記各第２舌片を曲折可能にそれぞれ連設して、
前記各第１舌片にはそれぞれ、一側端側に先端縁の一部を長さ方向に延長して係合部を設け、他側端側には基端側の隅角部から前記係合部近傍の先端縁に至る斜めの折目を介して固着部を曲折可能に連設し、
これらの前記各第１舌片は、前記係合部及び前記固着部が互いに反対に位置するように配設して、前記各固着部をそれぞれ隣り合う前記第２舌片に固着し、前記各係合部を互いに係合させつつ他方の前記第２舌片の裏面側に重ねることにより、前記一組の第１舌片と前記一組の第２舌片とで前記底面板を構成することを特徴とする。
【０００７】
この請求項２の包装用容器によれば、ワンタッチで組み立てと復元とを行うことができる。つまり、前記蓋板を開いて前記筒状体の対角に位置する一組の折目を内側に折り曲げるようにして前記筒状体を折り畳むと、それに伴って前記各第１舌片の前記係合部どうしの係合が外れるとともに、前記各斜めの折目が谷折りに折り曲げられ、前記各固着部がそれぞれ折り畳まれた状態になる。そして、前記各第１舌片及び前記各第２舌片が、前記正面板及び前記背面板並びに前記各側面板の裏面側にそれぞれ折り曲げられる。これにより、前記各第１舌片と前記各第２舌片とが前記筒状体の内側に折り畳まれた状態になる。
【０００８】
一方、前記各内フラップは、前記筒状体が折り畳まれるのに伴って、一方の前記内フラップは前記蓋板の裏面側に折り曲げられ、他方の前記内フラップは前記蓋板との折目が展開されて前記蓋板と面一の状態になる。このように、前記包装用容器は、前記蓋板を開けると後はワンタッチで薄く折り畳むことができる。
【０００９】
また、折り畳んだ前記包装用容器は、前記一組の折目を展開して前記筒状体を元に戻すと、前記各第１舌片及び前記各第２舌片は、前記正面板及び前記背面板並びに前記各側面板との折目がそれぞれ展開されて元の状態に戻る。この際、前記各固着部がそれぞれ展開され、前記各第１舌片の前記係合部どうしが係合し、前記底面板が復元される。一方、前記蓋板の裏面側に折り畳まれている一方の前記内フラップと前記蓋板との折目が展開するとともに、他方の前記内フラップと前記蓋板との折目が折り曲げられ、前記各内フラップが元の状態に戻される。このように、前記包装用容器をワンタッチで元の形に復元することができる。
【００１０】
請求項３記載の包装用容器は、正面板の幅方向中央部に、上端縁から底面板の方向に一対の切り込みを略平行に設けて切出片を形成し、同切出片は、先端縁に係止片を曲折可能に連設するとともに、基端部において曲折可能とし、前記係止片を挿入して係止可能なスリット状の係止孔を、前記蓋板の先端部の幅方向中央部に設けることを特徴としている。
【００１１】
この請求項３の包装用容器によれば、前記係止片を前記蓋板の前記係止孔に挿入しておくことで前記蓋板をロックすることができ、前記蓋板が不用意に開くことを防止することができる。また、前記切出片を前記背面板と反対の方向に前記基端部で曲げることができ、且つ前記係止片が前記切出片に対して曲折可能になっているため、前記蓋板を閉じた状態であっても、前記係止片を前記係止孔に対して簡単に挿脱することができる。
【００１２】
請求項４の包装用容器は、係止片の一部を切り出すことにより、基端側が前記切出片側に位置し、且つ前記切出片の一部を延長した形に形成されている指掛け片を設けることを特徴としている。この請求項４の包装用容器によれば、前記係止孔に挿入されている前記係止片を外す際、前記指掛け片に指を掛けることにより、前記係止片を前記係止孔から容易に外すことができる。
【考案の効果】
【００１３】
請求項１の包装用容器は、蓋板の開閉に合わせて内フラップを開閉させることができるので、被包装物の箱詰め作業を効率良く行うことができ、ＦＡ化された生産設備での使用にも対応しやすい。請求項２の包装用容器は、箱詰めを行う作業スペースに折り畳んだ状態でスットクしておくことができるため、整理整頓が図れて作業性が向上する。また、ワンタッチで組み立てることができるため、作業の効率化と作業時間の短縮等を図ることができる。請求項３の包装用容器は、蓋板を閉じた状態においても、係止片を係止孔に対して簡単に挿脱することができ、被包装物の箱詰め作業や被包装物の取り出しが簡単に行える。特に、請求項４の包装用容器のように、係止片が連設されている切出片に指掛け片を設けることによって、蓋板をよりスムーズに開けることができる。
【考案を実施するための最良の形態】
【００１４】
以下、本考案に係る包装用容器の実施形態について第１図〜第４図を参照しつつ説明する。
【００１５】
図１（ａ）は包装用容器１の斜め上方からの斜視図であり、図１（ｂ）は斜め下方からの斜視図である。また、図２は包装用容器１を展開した状態を示している。
【００１６】
この包装用容器１は、主に、正面板２、背面板３、左右の側面板４・５、蓋板６、底面板７からなる六面体の形状を有し、図２に示すように一枚のブランクＢで構成されている。このブランクＢは、背面板３の両側端縁に左の側面板４と右の側面板５とがそれぞれ折目ａ・ｂを介して曲折可能に連設され、左の側面板４における背面板３と反対の側端縁には、正面板２が折目ｃを介して曲折可能に連設されており、右の側面板５における背面板３と反対の側端縁には、糊代８が折目ｄを介して曲折可能に連設されている。
【００１７】
一方、背面板３の上端縁には、蓋板６が折目ｆを介して曲折可能に連設されており、蓋板６の先端縁には、差込片９が折目ｇを介して曲折可能に連設されている。蓋板６と左右の各側面板４・５との間にはそれぞれ、内フラップ１０・１１が設けられている。これらの内フラップ１０・１１は、蓋板６の各側端縁と各側面板４・５の上端縁とに沿ったＬ字型形状をなし、それらに対して折目ｈ・ｉ（折目ｊ・ｋ）を介して曲折可能に連設され、各屈曲部１０ａ・１１ａにはそれぞれ、背面板３側の隅角部から反対側の隅角部に至る折目ｍ・ｎが形成されている。
【００１８】
底面板７は、一組の第１舌片１２・１３と一組の第２舌片１４・１５とで構成されており、各第１舌片１２・１３は、左右の側面板４・５の下端縁にそれぞれ、折目ｐ・ｑを介して曲折可能に連設され、各第２舌片１４・１５は、正面板２及び背面板３の下端縁にそれぞれ、各折目ｒ・ｓを介して曲折可能に連設されている。各第１舌片１２・１３はそれぞれ、一側端側に先端縁の一部を長さ方向に延長して係合部１２ａ・１３ａが設けられ、他側端側には基端側の隅角部から各係合部１２ａ・１３ａ近傍の先端縁に至る斜めの折目ｕ・ｖを介して固着部１６・１７がそれぞれ連設されている。
【００１９】
そして、正面板２の幅方向中央部には、上端縁から底面板７の方向に一対の切り込みｚ、ｚが略平行に設けられて切出片１８が形成されている。この切出片１８は、先端縁に係止片１９が折目ｗを介して曲折可能に連設されるとともに、基端部において幅方向に形成された折目ｘで曲折可能になっている。係止片１９には、基端部の一部を切り出すことにより、基端側が切出片１８側に位置し、且つ切出片１８の一部を延長した形に形成されている指掛け片２０が設けられている。このような係止片１９を挿入して係止可能なスリット状の係止孔２１が、蓋板６の先端縁部の幅方向中央部に設けられている。この係止孔２１は、折目ｇ近傍に幅方向に切り目を入れることによって形成されている。
【００２０】
次に、このブランクＢを包装用容器１に組み立てる方法について説明する。
【００２１】
正面板２及び背面板３並びに左右の側面板４・５及び糊代８をそれぞれ、各折目ａ、ｂ、ｃ、ｄで内面側に折り曲げ、糊代８を正面板２の側端部の裏面に貼着して、正面板２及び背面板３並びに左右の側面板４・５からなる横断面四角形の筒状体２２を形成する（第１図（ａ）参照）。そして、各第１舌片１２・１３及び第２舌片１４・１５を、各折目ｐ・ｑ（折目ｒ・ｓ）で内側に折り曲げる。このとき、各第１舌片１２・１３の係合部１２ａ・１３ａ及び固着部１６・１７は、互いに反対側に位置した状態になっている。反対にそれから、各第１舌片１２・１３に連設されている固着部１６・１７を、隣接する各第２舌片１４・１５のおもて面にそれぞれ貼着し、各第１舌片１２・１３の係合部１２ａ・１３ａを互いに係合させるとともに、他方の第２舌片１２・１３の裏面に重ねた状態で配置する（第１図（ｂ）参照）。こうして組み立てられた包装用容器１は、第３図のように蓋板６を完全に開いた状態にすると、蓋板６が背面板３と面一の状態になるとともに、各内フラップ１０・１１がそれぞれ各側面板４・５と面一の状態となり、各内フラップ１０・１１がそれぞれ各側面板４・５の上端縁と蓋板６の各側端縁との間にＬ字型に展開された開いた状態になる。
【００２２】
この蓋板６を開いた状態から、蓋板６を折目ｆで内側に折り曲げると、第４図に示すように、内フラップ１０・１１は各屈曲部１０ａ・１１ａの折目ｍ・ｎで谷折りされて二つに折り畳まれ、折目ｈ・ｊで蓋板６の裏面側に折り曲げられるとともに、折目ｉ・ｋで各側面板４・５に対して筒状体２２の内方向に折り曲げられる。したがって、差込片９を筒状体２２内に挿入して蓋板６を完全に閉じると、それに合わせて内フラップ１０・１１も閉じられて、二つに折り畳まれた状態で容器内に収容される。こうして容器内に折り込まれた各内フラップ１０・１１は、蓋板６と各側面板４・５との隙間２３を塞いだ状態となり、この隙間２３からの被包装物のこぼれを防止する（第１図参照）。そして、蓋板６を閉じたあと、係止片１９を係止孔２１に挿入して係止させ、蓋板６が不用意に開かないようにロックする。この際、係止片１９が連設されている切出片１８を背面板３と反対方向に倒してから、係止片１９を係止孔２１に挿入することができるため、係止片１９を係止孔２１に係止させやすい。しかも、係止片１９には指掛け片２０を設けて指を掛けることができるようになっているため、切出片１８を倒す操作が行いやすい。
【００２３】
このように組み立てられた包装用容器１は、第３図に示すように蓋板６を開け、背面板３を下に向けて横に倒した状態で使用すれば、蓋板６の両サイドに内フラップ１０・１１がそれぞれ立設された状態になる（例えば、第３図に示している包装用容器１を右に９０°回転させた状態）。これによって、容器内の被包装物を蓋板６上に引き出して使用することができ、引き出した被包装物が蓋板６の両サイドからこぼれて散乱しないため、被包装物が使いやすくなる。
【００２４】
また、包装用容器１は、ワンタッチで折り畳みと復元とを行うことができる。即ち、包装用容器１を折り畳む場合は、係合片１９を係合孔２１から引き出してロックを解除し、蓋板６を開く。そして、筒状体２２における対角に位置する一組の折目、例えば、折目ａ・ｄを内側に折り曲げることによって筒状体２２を折り畳む。この際、各第１舌片１２・１３と各第２舌片１４・１５とが、各折目ｐ・ｑ・ｒ・ｓで正面板２及び背面板３並びに各側面板４・５の裏面側にそれぞれ折り曲げられる。それに伴い、各第１舌片１２・１３の係合部１２ａ・１３ａどうしの係合が外れるとともに、各第１舌片１２・１３の固着部１６・１７が各折目ｕ・ｖでそれぞれ折り畳まれた状態になる。これと同時に、一方の内フラップ１０が、折目ｈで折り曲げられて蓋板６の裏面側に折り畳まれ、他方の内フラップ１１は折目ｊが開き、蓋板６と面一の状態になる。このように、包装用容器１は、蓋板６を開くと、後はワンタッチで折り畳むことができる。
【００２５】
また、筒状体２２を元の四角形の状態に戻せば、各折目ｐ・ｑ・ｒ・ｔが自動的に開くとともに折目ｕ・ｖが開き、且つ各第１舌片１２・１３の係合部１２ａ・１３ａどうしが係合して、底面板７が形成される。これと同時に、折目ｈが開いて内フラップ１０が元の状態に戻るとともに、折目ｊが折り曲げられて内フラップ１１が元の状態に戻る。このように、包装用容器１をワンタッチで元の形に復元することができる。
【図面の簡単な説明】
【００２６】
【図１】（ａ）本考案に係る包装用容器の斜め上方からの斜視図。（ｂ）本考案に係る包装用容器の斜め下方からの斜視図。
【図２】本考案に係る包装用容器を構成するブランクの展開図。
【図３】本考案に係る包装用容器の蓋板を開いた状態を示す斜め上方からの斜視図。
【図４】本考案に係る包装用容器の蓋板を半分程度開いた状態を示す斜め上方からの斜視図。
【符号の説明】
【００２７】
１              包装用容器
２              正面板
３              背面板
４、５          側面板
６              蓋板
７              底面板
９              差込片
１０、１１      内フラップ
１０ａ、１１ａ  屈曲部
【図１】
0003144451.tif 000003
【図２】
0003144451.tif 000004
【図３】
0003144451.tif 000005
【図４】
0003144451.tif 000006